(57)【要約】    【課題】  画素毎に行うテキスト画と自然画の判別精度を向上させた画像識別回路を提供すること。    【解決手段】  入力ディジタル映像信号の着目画素について、着目画素を中心とする周辺の複数画素で構成される複数方向の各方向別に、複数画素から２画素を選択する複数の組合わせについて同一輝度値である組合わせの数をカウントする方向別カウント部と、この方向別カウント部の複数方向のカウント値を合計した合計カウント値から画像の種類を判別する合計値判別部と、それぞれの方向毎に方向別カウント部のカウント値から画像の種類を判別する方向別判別部とを具備してなる。【選択図】    図１
2005340936.tif 000002
【特許請求の範囲】
【請求項１】
入力ディジタル映像信号の着目画素について、着目画素を中心とする周辺の複数画素で構成される複数方向の各方向別に、複数画素から２画素を選択する複数の組合わせについて同一輝度値である組合わせの数をカウントする方向別カウント部と、この方向別カウント部の複数方向のカウント値を合計した合計カウント値から画像の種類を判別する合計値判別部と、それぞれの方向毎に方向別カウント部のカウント値から画像の種類を判別する方向別判別部とを具備してなることを特徴とする画像識別回路。
【請求項２】
入力ディジタル映像信号の着目画素について、着目画素を中心とする（２ｎ＋１）画素（ｎは１以上の整数）で構成される複数方向の各方向別に、（２ｎ＋１）画素から２画素を選択する全（２ｎ2+ｎ）通りの組合わせについて同一輝度値である組合わせの数をカウントする方向別カウント部と、この方向別カウント部のカウント値を全方向分合計した合計カウント値から画像の種類を判別する合計値判別部と、それぞれの方向毎に方向別カウント部のカウント値から画像の種類を判別する方向別判別部とを具備してなることを特徴とする画像識別回路。
【請求項３】
合計値判別部では、合計カウント値が一定値以上である場合にはテキスト画と判別するようにし、方向別判別部では、方向別カウント部の何れか１つの方向のカウント値が一定値以上である場合にはテキスト画と判別するようにし、何れにも該当しない場合には自然画と判別するようにしたことを特徴とする請求項１又は２記載の画像識別回路。
【請求項４】
方向別カウント部は、水平方向のカウントを行う水平方向カウント部と、垂直方向のカウントを行う垂直方向カウント部と、斜め０方向のカウントを行う斜め０方向カウント部と、斜め１方向のカウントを行う斜め１方向カウント部との４つのカウント部からなることを特徴とする請求項１乃至３記載の画像識別回路。
【発明の詳細な説明】
【技術分野】
【０００１】
本発明は、ディジタル画像処理におけるテキスト画（コンピュータ画像）と自然画とが混在する画像の精度の高い識別処理を行う画像識別回路に関するものである。
【背景技術】
【０００２】
画像にはそれぞれ特質があり、その特質によって、例えば、テキスト画（コンピュータ画像）と自然画とに分類される。従来より、これらの画像の種類毎にフィルタ処理などの画像処理の方法を切り替えることが行われており、１画面にテキスト画と自然画が混在する画像には、それぞれの特質を抽出して識別を行い、その識別結果に基づいて画像処理を行っていた。従来の識別処理方法の一例として、以下に挙げるものが存在する。
【０００３】
（１）周波数帯域から識別する方法
一般に、自然画には低周波成分が多く含まれることが知られている。これに対して、テキスト画には自然画と比較して高周波成分が含まれることが知られている。この特質を用いて画像の識別を行うため、映像信号をいくつかの周波数帯域毎に分割して抽出し、その分割した周波数帯域に応じた重み付け係数、例えば、低周波成分では小、高周波成分では大の係数を掛けて、それぞれを比較する。このとき高周波成分が多く含まれる画像部分はテキスト画と識別し、低周波成分が多く含まれる画像部分は自然画と識別する。
画像中に低周波成分が多く含まれる傾向にあるとはいえ、一般的に、テキスト画と自然画とを周波数によって区別できるものではないので、この方法は、分割した周波数帯域に応じた重み付け係数を掛けるときに、最適な係数を選択することが難しく、ある画像に対しては最適であった係数が、別の画像では適当ではないという問題が生じてしまう。
【０００４】
（２）着目画素の周辺画素に使われる色数から識別する方法
自然画は、色の変化が多段階であり使用する色数も多いという特質があり、これに対して、テキスト画では、色の変化は輪郭部分に集中し他の部分では色の変化が少なく、使用する色数も少ないという特質がある。この特質を用いて画像の識別を行うため、映像信号のうち、着目画素の周辺画素に何種類の色が使用されているかをカウントし、そのカウント値が少ない場合はテキスト画と識別し、多い場合は自然画と識別する。
この方法は、カウントする周辺画素の数を多くすると、テキスト画と自然画のそれぞれの領域内ではある程度精度の高い識別を行えるが、自然画とテキスト画の境界部分において、テキスト画の一部が自然画と識別されてしまうという問題が生じてしまう場合があった。
【０００５】
（３）１画面全体又は一定領域に使用される色数のヒストグラムで識別する方法
画像の明度分布を表わしたグラフとしてヒストグラムがあり、このヒストグラムのピークが１つ存在するのが自然画で、ピークが２つ存在するのがテキスト画と判別する。
このヒストグラムは、１画面全体とか、ある程度大きさを持った領域単位で特性をとる必要があり、小領域でヒストグラムをとったときは判別精度が低い。逆に、大きな領域単位での識別は、その領域内にテキスト画と自然画が混在する可能性が高く、精度の高い識別を行うことができないという問題があった。
【０００６】
上記（１）〜（３）で述べた従来方法は、いずれも何らかの問題点があり、識別が必ずしも精度良く行えないので、より精度の高いテキスト画と自然画の識別方法が必要とされていた。これを解決したものとして、特許文献１に記載の画像識別回路が挙げられる。
この特許文献１に記載の画像識別回路は、大きくは画素別判別部２１と領域別判別部２２とで構成されており、画素別判別部２１において画素毎にテキスト画であるのか自然画であるのかを判断し、その後に１画面を一定領域（ｍ画素×ｎ画素）で分割してその領域毎にテキスト画と判断された画素数と自然画と判断された画素数を集計し、テキスト画と識別された画素数≧領域の全画素数／２であればその領域はテキスト画の領域であると判別し、そうでなければ自然画の領域であると判別するものである。この特許文献１の画素別判別部２１における画素毎の判別は、図２に示すような着目画素を中心とした４方向（水平方向、垂直方向、斜め０方向、斜め１方向）についてそれぞれ、各方向に存在する５画素のうち着目画素の輝度値と一致する画素数をカウントして、各ラインのカウント値の合計≧１０、及び／又は、ある一方向のカウント値≧４である場合には、その着目画素はテキスト画であると判別するようにしたものである。これは、一定輝度値が連続するというテキスト画の性質に着目したものであり、上記（１）〜（３）の方法に比べて精度の高い判別を行うことができるものであった。
【特許文献１】特開２００４−５６３５０号公報
【発明の開示】
【発明が解決しようとする課題】
【０００７】
しかし、上記特許文献１に記載の画像識別回路における画素別判別方法では、テキスト画であると判別することのできない場合が存在するという問題があった。例えば、図３に示すようなテキスト画について、上記特許文献１の画素別判別部２１において画素別判別を行うとする。この図３において（ａ）〜（ｄ）は、それぞれ少ない画素数で表現されたテキスト画であり、この図３全体について、上記特許文献１の画素別判別部２１において画素別判別を行った結果を、図５の（ａ）〜（ｆ）に示す。
【０００８】
図５（ａ）は、図３の各画素について着目画素と輝度値が一致する画素が着目画素を中心とした水平方向の５画素の中に幾つあるかをカウントしたものであり、図５（ｂ）は、図３の各画素について着目画素と輝度値が一致する画素が着目画素を中心とした垂直方向の５画素の中に幾つあるかをカウントしたものであり、図５（ｃ）は、図３の各画素について着目画素と輝度値が一致する画素が着目画素を中心とした斜め０方向（右肩下がりの斜め方向）の５画素の中に幾つあるかをカウントしたものであり、図５（ｄ）は、図３の各画素について着目画素と輝度値が一致する画素が着目画素を中心とした斜め１方向（右肩上がりの斜め方向）の５画素の中に幾つあるかをカウントしたものである。また、図５（ｅ）は、（ａ）〜（ｄ）までに示した各方向でのカウント値を画素毎に合計したものである。図５（ａ）〜（ｄ）において、カウント値≧４である場合にはその画素はテキスト画と判別し、又は、図５（ｅ）において、カウント値の合計≧１０である場合にはその画素はテキスト画と判別することとし、その判別結果を図５（ｆ）に示す。図３はテキスト画のみで構成された画面であるので、正確に判別できた場合には、全てテキスト画であると判別されることになるが、図５（ｆ）に示すように、図３（ａ）〜（ｃ）のテキストについては全て自然画であると判断されてしまい、図３（ｄ）のテキストは、端点が自然画と判別されてしまっている。
【０００９】
このように、上記特許文献１の画素別判別部２１では、少ない画素数で構成された小さなテキストをテキスト画として判別することができないという問題があった。特許文献１では、このような画素毎の判別間違いを補正する手段として、領域別判別部２２を設けているが、この領域別判別部２２による領域判別は、領域内の多数派でその領域を全て置換えるものであるため、正しく判別された部分が間違った内容に補正される可能性があり、必ずしも正しい判別内容に補正されないという問題があった。
【００１０】
本発明は、上記問題点に鑑みなされたものであり、画素毎に行うテキスト画と自然画の判別精度を向上させた画像識別回路を提供することを目的とするものである。
【課題を解決するための手段】
【００１１】
本発明の請求項１は、入力ディジタル映像信号の着目画素について、着目画素を中心とする周辺の複数画素で構成される複数方向の各方向別に、複数画素から２画素を選択する複数の組合わせについて同一輝度値である組合わせの数をカウントする方向別カウント部と、この方向別カウント部の複数方向のカウント値を合計した合計カウント値から画像の種類を判別する合計値判別部と、それぞれの方向毎に方向別カウント部のカウント値から画像の種類を判別する方向別判別部とを具備してなることを特徴とする画像識別回路である。
【００１２】
本発明の請求項２は、入力ディジタル映像信号の着目画素について、着目画素を中心とする（２ｎ＋１）画素（ｎは１以上の整数）で構成される複数方向の各方向別に、（２ｎ＋１）画素から２画素を選択する全（２ｎ2+ｎ）通りの組合わせについて同一輝度値である組合わせの数をカウントする方向別カウント部と、この方向別カウント部のカウント値を全方向分合計した合計カウント値から画像の種類を判別する合計値判別部と、それぞれの方向毎に方向別カウント部のカウント値から画像の種類を判別する方向別判別部とを具備してなることを特徴とする画像識別回路である。
【００１３】
本発明の請求項３は、請求項１又は２に加えて、合計値判別部では、合計カウント値が一定値以上である場合にはテキスト画と判別するようにし、方向別判別部では、方向別カウント部の何れか１つの方向のカウント値が一定値以上である場合にはテキスト画と判別するようにし、何れにも該当しない場合には自然画と判別するようにしたことを特徴とする画像識別回路である。
【００１４】
本発明の請求項４は、請求項１乃至３に加えて、方向別カウント部は、水平方向のカウントを行う水平方向カウント部と、垂直方向のカウントを行う垂直方向カウント部と、斜め０方向のカウントを行う斜め０方向カウント部と、斜め１方向のカウントを行う斜め１方向カウント部との４つのカウント部からなることを特徴とする画像識別回路である。
【発明の効果】
【００１５】
本発明の請求項１乃至４記載の発明によれば、着目画素を中心とする周辺の複数画素で構成される複数方向の各方向別に、複数画素から２画素を選択する全ての組合わせについて同一輝度値である組合わせの数をカウントするようにし、この各方向のカウント値及び合計カウント値を用いて画像を識別するようにしたので、従来のカウント方法では識別できなかった非常に小さなテキスト部分を確実に識別することができるようになる。
【発明を実施するための最良の形態】
【００１６】
本発明による画像識別回路は、入力ディジタル映像信号の着目画素について、着目画素を中心とする（２ｎ＋１）画素（ｎは１以上の整数）で構成される複数方向の各方向別に、（２ｎ＋１）画素から２画素を選択する全（２ｎ2+ｎ）通りの組合わせについて同一輝度値である組合わせの数をカウントする方向別カウント部と、この方向別カウント部のカウント値を全方向分合計した合計カウント値から画像の種類を判別する合計値判別部と、それぞれの方向毎に方向別カウント部のカウント値から画像の種類を判別する方向別判別部とを具備してなるものである。以下、図面に基づいて詳しく説明する。
【実施例１】
【００１７】
本発明の実施の形態を図面に基づいて説明する。
本発明による画像識別回路の特徴は、図２に示すような着目画素を中心とした４方向でそれぞれ、５画素の中から２画素を選ぶ全ての組合わせのうち同一輝度となる組合わせが幾つあるかをカウントし、この各方向でのカウント値と全方向の合計カウント値とを用いて、当該着目画素がテキスト画であるのか自然画であるのかを判別するものである。これを実施するための構成を示したものが図１に示すブロック図であり、以下、この図１を用いて説明する。
【００１８】
図１において、映像信号遅延処理部１１は、入力された映像信号に対して、１ライン遅延回路と１ドット遅延回路（図示は省略）を組合わせて遅延させることで図２に示す４方向の各画素の信号を生成している。この生成した信号のうち、水平方向カウント部１５には(x-2,y)、(x-1,y)、(x,y)、(x+1,y)、(x+2,y)の５画素の信号が入力され、垂直方向カウント部１６には(x,y-2)、(x,y-1)、(x,y)、(x,y+1)、(x,y+2)の５画素の信号が入力され、斜め０方向カウント部１７には(x-2,y-2)、(x-1,y-1)、(x,y)、(x+1,y+1)、(x+2,y+2)の５画素の信号が入力され、斜め１方向カウント部１８には(x+2,y-2)、(x+1,y-1)、(x,y)、(x-1,y+1)、(x-2,y+2)の５画素の信号が入力される。
【００１９】
水平方向カウント部１５は、入力された(x-2,y)、(x-1,y)、(x,y)、(x+1,y)、(x+2,y)の５画素の信号を用いて、５画素の中から２画素を選ぶ全ての組合わせのうち同一輝度となる組合わせが幾つあるかをカウントして出力する。詳しくは、先ず、入力された５画素の信号を２画素ずつ比較する全１０通りの組合わせについて、差分演算回路２４で差分の絶対値の演算をする。この１０通り分の組合わせの差分の絶対値を、同一輝度判定回路２５においてそれぞれ許容誤差X入力端子１２から入力された許容誤差Xと比較して、許容誤差Xよりも小さい場合には同一輝度であると判断する。ここで、基本的には２つの画素が同一輝度値である場合にはその差分は０となるはずであるが、アナログ信号をＡＤ変換してディジタル信号にした場合には量子化誤差が生じる可能性があるため、許容誤差Xを設定することで差分が一定範囲内の場合には同一輝度値であると判定する。このようにして、同一輝度判定回路２５において全１０通りの組合わせについて同一輝度値であるかを判定して、同一輝度値である場合には後段の加算器２６に「１」を出力し、輝度値が異なる場合には後段の加算器２６に「０」を出力し、加算器２６ではこれらの出力を合計する。この加算器２６の合計値は、同一輝度値となった組合わせの数であり、例えば、水平方向の５画素が全て同一輝度値である場合には合計値は１０（最大値）となり、水平方向の５画素が全て異なる輝度値である場合には合計値は０（最小値）となる。この加算器２６の合計値は、同一輝度値となった組合わせの数のカウント値として、後段の加算器１９と方向別判別部２１に出力する。
【００２０】
同様に、垂直方向カウント部１６では、入力された垂直方向の５画素の信号(x,y-2)、(x,y-1)、(x,y)、(x,y+1)、(x,y+2)を２画素ずつ比較する全１０通りの組合わせについて同一輝度値となった組合わせの数をカウントして、そのカウント値を後段の加算器１９と方向別判別部２１に出力する。同じく、斜め０方向カウント部１７では、入力された斜め０方向の５画素の信号(x-2,y-2)、(x-1,y-1)、(x,y)、(x+1,y+1)、(x+2,y+2)を２画素ずつ比較する全１０通りの組合わせについて同一輝度値となった組合わせの数をカウントして、そのカウント値を後段の加算器１９と方向別判別部２１に出力し、斜め１方向カウント部１８では、入力された斜め０方向の５画素の信号(x+2,y-2)、(x+1,y-1)、(x,y)、(x-1,y+1)、(x-2,y+2)を２画素ずつ比較する全１０通りの組合わせについて同一輝度値となった組合わせの数をカウントして、そのカウント値を後段の加算器１９と方向別判別部２１に出力する。
【００２１】
加算器１９では、水平方向カウント部１５、垂直方向カウント部１６、斜め０方向カウント部１７及び斜め１方向カウント部１８から入力された各方向でのカウント値を加算することで全方向の合計カウント値を算出して、これを後段の合計値判別部２０に出力する。ここで算出する合計カウント値は０〜４０の値をとる。
【００２２】
合計値判別部２０には、前記加算器１９からの合計カウント値と、合計値判別レベル入力端子１３からの合計値判別レベルとが入力される。ここで、合計カウント値が合計値判別レベルよりも大きいか否かを判別して、大きい場合には後段のＯＲ回路２２に「１」を出力し、小さい場合には後段のＯＲ回路２２に「０」を出力する。
【００２３】
方向別判別部２１は、水平判別部２７、垂直判別部２８、斜め０判別部２９、及び、斜め１判別部３０とで構成されており、水平判別部２７には水平方向カウント部１５からのカウント値、垂直判別部２８には垂直方向カウント部１６からのカウント値、斜め０判別部２９には斜め０方向カウント部１７からのカウント値、斜め１判別部３０には斜め１方向カウント部１８からのカウント値がそれぞれ入力されると共に、４つの判別部に共通に、方向別判別レベル入力端子１４からの方向別判別レベルが入力される。これらの水平判別部２７、垂直判別部２８、斜め０判別部２９、及び、斜め１判別部３０では、カウント値が方向別判別レベルよりも大きいか否かをそれぞれ判別して、大きい場合には後段のＯＲ回路２２に「１」を出力し、小さい場合には後段のＯＲ回路２２に「０」を出力する。
【００２４】
ＯＲ回路２２では、合計値判別部２０からの１つの入力と、方向別判別部２１からの４つの入力との計５つの入力について論理和をとって、これを識別結果として識別結果出力端子２３から出力する。論理和をとった結果が「１」である場合にはその着目画素についてはテキスト画であると識別し、論理和をとった結果が「０」である場合にはその着目画素については自然画であると識別する。
【００２５】
次に、このような構成における本発明の作用を図面に基づいて説明する。
入力された映像信号は、映像信号遅延処理部１１において、図示しない１ライン遅延回路と１ドット遅延回路を組合わせて多段階に遅延され、図２に示す４方向の各画素の信号として、それぞれの方向毎に水平方向カウント部１５、垂直方向カウント部１６、斜め０方向カウント部１７及び斜め１方向カウント部１８に入力される。これらの水平方向カウント部１５、垂直方向カウント部１６、斜め０方向カウント部１７及び斜め１方向カウント部１８では、各方向でそれぞれ５画素の信号を２画素ずつ比較する全１０通りの組合わせについて、差分演算回路２４で差分の絶対値を演算した後に、同一輝度判定回路２５において許容誤差Xと比較して、許容誤差Xよりも小さい場合には同一輝度であると判断し、同一輝度であった組合わせの数をそれぞれカウントする。
【００２６】
具体例として、図３のテキスト画全体について方向別にカウントを行ったものを図４に示す。図４（ａ）は、図３のテキスト画全体を水平方向カウント部１５でカウントした結果を表したものであり、例えば、図３（ａ）の１ドットで表されたテキスト部分を着目画素とし、この着目画素を中心とした水平方向の５画素について全ての組合わせを考えると、着目画素と前後の２画素ずつとの組合わせである４通りについては同一輝度とならないためカウントされないが、前後の２画素ずつの計４画素から２画素を選択する組合わせである６通りについては同一輝度となるため全てカウントされ、結果、着目画素でのカウント値は６となっている。同様に、図４（ｂ）は、図３のテキスト画全体を垂直方向カウント部１６でカウントした結果を表したものであり、図４（ｃ）は、図３のテキスト画全体を斜め０方向カウント部１７でカウントした結果を表したものであり、図４（ｄ）は、図３のテキスト画全体を斜め１方向カウント部１８でカウントした結果を表したものである。
【００２７】
このようにして各方向別にカウントしたカウント値は、加算器１９を介して加算することで合計カウント値として、合計値判別部２０に入力されるとともに、各方向別のカウント値それぞれが、方向別判別部２１の水平判別部２７、垂直判別部２８、斜め０判別部２９、又は、斜め１判別部３０に入力される。合計値判別部２０では、入力された合計カウント値が予め設定された合計値判別レベル（例えば、16）よりも大きいか否かを判別し、方向別判別部２１の水平判別部２７、垂直判別部２８、斜め０判別部２９、及び、斜め１判別部３０では、各方向でのカウント値が予め設定された方向別判別レベル（例えば、10）よりも大きいか否かを判別する。ここでの合計値判別レベルと方向別判別レベルとは、適宜変更することが可能なものである。
【００２８】
合計値判別部２０での判別結果と、方向別判別部２１の水平判別部２７、垂直判別部２８、斜め０判別部２９、及び、斜め１判別部３０の４つの判別結果は、共にＯＲ回路２２に入力され、ＯＲ回路２２において論理和をとった結果が「１」である場合はテキスト画、「０」である場合には自然画であると識別して識別結果出力端子２３から出力する。つまり、合計値判別レベル＝16、方向別判別レベル＝10とすると、テキスト画と識別されるためのカウント値の条件は以下のようになる。
全方向のカウント値の合計≧16  ｏｒ  ある一方向のカウント値≧10
【００２９】
具体例として、この条件に基づいて図３のテキスト全体について識別を行う。図４（ａ）〜（ｄ）は前述の通り方向別のカウント値なので、これらについては、ある一方向のカウント値≧10であるか否かによって判別する。図４（ｅ）は、図４（ａ）〜（ｄ）の方向別のカウント値を合計した合計カウント値を表したものであり、この図４（ｅ）については、全方向のカウント値の合計≧16であるか否かによって判別する。このようにして、方向別のカウント値による判別と合計カウント値による判別を行って、何れか一方において該当した場合にはテキスト画と識別し、何れも該当しなかった場合には自然画と識別する。図４（ｆ）が図３のテキスト全体に対する識別結果である。この図４（ｆ）からも分かるように、小さなテキスト部分についても完全にテキスト画と識別されている。図５（ｆ）に示す従来のカウント方法による識別結果では、図３（ａ）〜（ｃ）に示す小さなテキストは全体が自然画と誤って識別されてしまっており、また、図３（ｄ）のテキストは端点部分が自然画と誤って識別されてしまっていたが、本発明のカウント方法では、図４（ｆ）の通り誤りなく全てテキスト画として識別することが可能となっている。
【００３０】
前記実施例においては、合計値判別レベル＝16、方向別判別レベル＝10としてそれぞれ判別を行っていたが、本発明はこれに限るものではない。図６（ａ）に示すのは、方向別判別レベル＝10に固定した状態で合計値判別レベルを変化させた場合のテキスト検出率を表したものである。この図６（ａ）から分かるように、合計値判別レベル＝18を境界にテキスト検出率が100％を下回っており、また、合計値判別レベルを大きくするにつれてテキスト検出率は低下している。逆に、図６（ｂ）に示すのは、合計値判別レベル＝24に固定した状態で方向別判別レベルを変化させた場合のテキスト検出率を表したものである。この図６（ｂ）から分かるように、方向別判別レベルを大きくするにつれてテキスト検出率は低下している。また、合計値判別レベル＝24であっても、方向別判別レベル＝4にすればテキスト検出率が100％となることが分かる。このように、方向別判別レベルと合計値判別レベルは、共に大きく設定するにつれてテキスト検出率は低下する傾向にあり、逆に、あまり小さく設定しすぎると自然画をテキスト画と検出してしまう可能性があるため、それぞれを調整してテキスト検出率と自然画検出率のバランスが最適となる値に設定して使用する。なお、前記実施例での合計値判別レベル＝16、方向別判別レベル＝10という条件は、図６（ａ）からも理想的な条件であることが分かる。
【００３１】
前記実施例では、水平方向カウント部１５、垂直方向カウント部１６、斜め０方向カウント部１７及び斜め１方向カウント部１８では、各方向でそれぞれ着目画素を中心とした５画素の信号を２画素ずつ比較する全１０通りの組合わせについて、同一輝度となる組合わせの数をカウントするようにしたが、本発明はこれに限られるものではない。例えば、各方向でそれぞれ着目画素を中心とした３画素の信号を２画素ずつ比較する全３通りの組合わせについて、同一輝度となる組合わせの数をカウントするようにしてもよいし、また、各方向でそれぞれ着目画素を中心とした７画素の信号を２画素ずつ比較する全２１通りの組合わせについて、同一輝度となる組合わせの数をカウントするようにしてもよい。
【００３２】
これらの場合をより一般的に記載すると、各方向でそれぞれ着目画素を中心とした（２ｎ＋１）画素の信号（但し、ｎは１以上の整数）を２画素ずつ比較する全（２ｎ2+ｎ）通りの組合わせについて、同一輝度となる組合わせの数をカウントするようにしてもよい、ということになる。この場合の合計値判別レベル及び方向別判別レベルは、それぞれ調整することで、テキスト検出率と自然画検出率のバランスが最適となる値に設定して使用することができる。
【００３３】
また、前記実施例においては、同一輝度となる組合わせの数をカウントする構成として説明したが、本発明はこれに限られるものではなく、例えば同一色である組合わせの数をカウントするようにしてもよく、同一色となった組合わせの数に基づいて画素毎にテキスト画と自然画の識別を的確に行うことができる。
【図面の簡単な説明】
【００３４】
【図１】本発明による画像識別回路の構成を示したブロック図である。
【図２】本発明の画像識別回路における各カウント部でカウントする方向を示した模式図である。
【図３】検出の難しい小さなテキストの例を表した模式図である。
【図４】（ａ）〜（ｄ）は、図３テキスト全体を本発明のカウント方法でカウントした場合の各方向のカウント値を表した模式図であり、（ｅ）は、全方向の合計カウント値を表した模式図であり、（ｆ）は、これらのカウント結果に基づいて識別を行った識別結果を表した模式図である。
【図５】（ａ）〜（ｄ）は、図３テキスト全体を従来技術によるカウント方法でカウントした場合の各方向のカウント値を表した模式図であり、（ｅ）は、全方向の合計カウント値を表した模式図であり、（ｆ）は、これらのカウント結果に基づいて識別を行った識別結果を表した模式図である。
【図６】（ａ）は、図１の画像識別回路において、方向別判別レベル＝10に固定した状態で合計値判別レベルを変化させた場合のテキスト検出率を表したものであり、（ｂ）は、図１の画像識別回路において、合計値判別レベル＝24に固定した状態で方向別判別レベルを変化させた場合のテキスト検出率を表したものである。
【符号の説明】
【００３５】
１１…映像信号遅延処理部、１２…許容誤差X入力端子、１３…合計値判別レベル入力端子、１４…方向別判別レベル入力端子、１５…水平方向カウント部、１６…垂直方向カウント部、１７…斜め０方向カウント部、１８…斜め１方向カウント部、１９…加算器、２０…合計値判別部、２１…方向別判別部、２２…ＯＲ回路、２３…識別結果出力端子、２４…差分演算回路、２５…同一輝度判定回路、２６…加算器、２７…水平判別部、２８…垂直判別部、２９…斜め０判別部、３０…斜め１判別部。
【図１】
2005340936.tif 000003
【図２】
2005340936.tif 000004
【図３】
2005340936.tif 000005
【図４】
2005340936.tif 000006
【図５】
2005340936.tif 000007
【図６】
2005340936.tif 000008